(57)【要約】【課題】予告をパチンコ機に必要な可変入賞部品を利用することで遊技領域を狭くすることなく遊技性の向上を図る。【解決手段】始動入賞に伴う制御装置６における抽選結果として当たりが抽選されると、予告手段２３が電磁ソレノイド１６−２０を予告動作し、電磁ソレノイド１６−２０が可変入賞部品８の開閉体９−１４を１個の球を取り込むことが不可能な開度で振動するように動かすことで、図柄表示器７による図柄変動の開始から図柄変動の停止までの間に遊技者に当たりの抽選されていることを報知し、始動入賞に伴い可変入賞部品８が開閉する大当たりの発生する期待感を遊技者に直接的に訴えることができる。【選択図】　　　　図１
2004129784.tif 000002
【特許請求の範囲】
【請求項１】
遊技盤の遊技領域に発射された球の始動入賞に伴う抽選結果を遊技者に予告するパチンコ機の予告装置において、予告を可変入賞部品の入賞口を開閉する開閉体の振動で行う予告手段を備えたことを特徴とするパチンコ機の予告装置。
【請求項２】
開閉体の予告のための振動を行う駆動源と開閉体の開閉のための駆動源とを同体に形成したことを特徴とする請求項１記載のパチンコ機の予告装置。
【請求項３】
開閉体の予告のための振動を行う駆動源と開閉体の開閉のための駆動源とを別体に形成したことを特徴とする請求項１記載のパチンコ機の予告装置。
【発明の詳細な説明】
【０００１】
【発明の属する技術分野】
本発明はパチンコ機の始動入賞に伴う抽選結果を遊技者に予告する装置に関する。
【０００２】
【従来の技術】
従来のパチンコ機の予告装置は予告を遊技盤の前面である遊技領域に設けられた予告用の可動部材の動きで行うようにしている（例えば、特許文献１参照）。
【０００３】
【特許文献１】
特開２００２−２３９０９６号公報（第１頁、要約、図２）
【０００４】
【発明が解決しようとする課題】
しかしながら、前記従来例は予告用の可動部材を遊技盤に設ける構造であるため、予告用の可動部材で遊技領域の球の飛び交う領域が狭くなり、遊技性に欠けるという問題点があった。
【０００５】
そこで、本発明は予告をパチンコ機に必要な可変入賞部品を利用することで遊技領域を狭くすることなく遊技性を向上することができるパチンコ機の予告装置を提供するものである。
【０００６】
【課題を解決するための手段】
本発明にあっては、遊技盤の遊技領域に発射された球の始動入賞に伴う抽選結果を遊技者に予告するパチンコ機の予告装置において、予告を可変入賞部品の入賞口を開閉する開閉体の動きで行う予告手段を備えたことによって、パチンコ機に必要な可変入賞部品を利用することで遊技領域を狭くすることなく、始動入賞に伴い可変入賞部品が開閉する大当たりの発生する期待感を遊技者に直接的に訴えることができる。また、本発明にあっては、開閉体の予告のための動きを行う駆動源と開閉体の開閉のための駆動源とを同体に形成すれば、駆動源を予告に対する制御と開閉に対する制御とで使い分けることができる。また、本発明にあっては、開閉体の予告のための振動を行う駆動源と開閉体の開閉のための駆動源とを別体に形成すれば、駆動源の数は増加するものの開閉体の予告に対する動きと開閉に対する動きとの差別化を明確にすることができる。
【０００７】
【発明の実施の形態】
図１から図７は一実施形態であって、図１はパチンコ機の予告装置を模式的に示し、図２は可変入賞部品８の外観を示し、図３は可変入賞部品８の正面を模式的に示し、図４から図６は可変入賞部品８の開閉動作を示し、図７は可変入賞部品８の開閉パターンを示す。
【０００８】
図１を参照し、パチンコ機の予告装置について説明する。遊技盤１の格納された図外の遊技機枠における球発射操作機構が遊技者で操作されたことで遊技機枠の球発射機構が遊技機枠の皿から供給された球を１個ずつ遊技盤１の前面のガイドレール２で囲まれた内側の遊技領域３に向けて発射される点、始動入賞球検出器４が遊技領域３の始動入賞部品５に入賞した球の検出で始動入賞信号を制御装置６に出力する点、制御装置６が始動入賞信号の入力により抽選処理を行うとともに図柄表示器７に図柄変動の開始を指示する点、制御装置６が抽選結果を反映すべく図柄表示器７に図柄変動の停止を指示する点は従来公知である。
【０００９】
これに対し、予告の結果として開放する可能性の有る可変入賞部品８では複数の開閉体９；１０；１１；１２；１３；１４が中央開口部１５を囲む態様に配置された点、上部左右の開閉体９；１０および中央左右の開閉体１１；１２がそれぞれに対応して設けられた開閉駆動源としての電磁ソレノイド１６；１７；１８；１９で個別に開閉する点、下部左右の開閉体１３；１４が１つの開閉駆動源２０で開閉する点、制御装置６が抽選結果として当たりを抽選している場合に図柄表示器７による図柄変動の停止までに遊技者に当たりの抽選されていることを報知するために可変入賞部品８の開閉体９−１４を振動するように動かす点が新規である。制御装置６は格納されたマイクロコンピュータがプログラムで動作することによって具現化される入賞検出手段２１、抽選手段２２、予告手段２３、抽選知識２４、カウンタ２５、図柄駆動手段２６、可変駆動手段２７を備える。
【００１０】
そして、遊技領域３に発射された球が始動入賞部品５に入賞し、制御装置６が始動入賞球検出器４からの始動入賞信号を入力すると、ステップ２０１がＹＥＳとなり、抽選手段２２がステップ２０２で抽選処理を実行する。具体的には、抽選手段２２が始動入賞信号の入力タイミングでカウンタ２５からカウンタ値を乱数値として取得し、取得した乱数値を抽選知識２４に照合し、抽選知識２４から乱数値に対応する当たり、外れを抽選結果として抽出してＲＡＭのようなメモリに記憶し、図柄駆動手段２６が図柄表示器７に図柄変動の開始を指示し、図柄表示器７が図柄変動を画面に表示する。
【００１１】
前記抽選結果として当たりが抽選されている場合には、ステップ２０３がＹＥＳとなり、予告手段２３がステップ２０４で電磁ソレノイド１６−２０に予告動作を指示し、電磁ソレノイド１６−２０が可変入賞部品８の開閉体９−１４を振動するように動かすことで、図柄表示器７による図柄変動の開始から図柄変動の停止までの間に遊技者に当たりの抽選されていることを報知することができる。この場合、電磁ソレノイド１６−２０に供給する電力と時間とを調整することで電磁ソレノイド１６−２０のプランジャを吸引する力と時間とばねのばね力とで、開閉体９−１４が１個の球を取り込むことが不可能な開度で開閉を行うように振動することで、電磁ソレノイド１６−２０を予告に対する制御と開閉に対する制御とで使い分けることができる。また、電磁ソレノイド１６−２０への電力供給を遮断したまま、図３に示す開閉駆動機構５１−５５におけるレバー６６；７６；８８；９８、四節リンク１０３；１０４などの動力伝達機構を図４−図６に示すモータ１３１；１３２；１３３で回転するカム１３４；１３５；１３６の回転とばね６２；７２；８２；９２；１０２のばね力とで、開閉体９−１４が１個の球を取り込むことが不可能な開度で開閉を行うように振動することで、開閉体９−１４の予告に対するモータ１３１；１３２；１３３による動きと電磁ソレノイド１６−２０による開閉に対する動きとの差別化を明確にすることができる。
【００１２】
また、予告を行う抽選結果としては当たり、リーチ、スーパーリーチ、確変、時短などが考えられるが、例えば、当たりでは上部左右の開閉体９；１０を振動し、リーチでは中央左右の開閉体１１；１２を振動し、スーパーリーチでは上部左右の開閉体９；１０と中央左右の開閉体１１；１２とを振動し、確変では全部の開閉体９−１４を振動し、時短では下部左右の開閉体１３；１４を振動するというように、予告を行う抽選結果の種類に応じて振動させる開閉体９−１４を選択してもよい。
【００１３】
その後、図柄駆動手段２６が当たりの抽選結果を反映すべく図柄表示器７に図柄変動の停止を指示し、図柄表示器７に停止した確定図柄が当たり図柄で揃った後、可変駆動手段２７がステップ２０５で電磁ソレノイド１６−２０を制御し、電磁ソレノイド１６−２０が抽選された当たりの種類に対応して制御装置６に設定された図７のａ図からｇ図に示すような種々の開閉パターンの１つまたは複数の組み合わせの可変入賞部品８の開閉体９−１４を開閉することで大当たりを実行した後、１回の始動入賞に伴う遊技を終了する。前記抽選結果として外れが抽選されている場合は、図柄駆動手段２６が外れの抽選結果を反映すべく図柄表示器７に図柄変動の停止を指示し、図柄表示器７に停止した確定図柄が当たり図柄以外となって１回の始動入賞に伴う遊技を終了する。図１中の符号２８は入賞しない球を店に回収するためのアウト口、符号２９は遊技領域３に発射された球が球発射機構の方に戻るのを防止する球戻防止弁である。
【００１４】
図２を参照し、可変入賞部品８について説明する。可変入賞部品８は可変入賞部品８を遊技盤１に取り付けるための基部３１に、中央開口部１５を縁取る態様に配置された複数の開閉体９−１４、複数の開閉体９−１４の開閉を案内するガイド孔３２；３３；３４；３５；３６；３７；３８；３９；４０；４１；４２；４３、基部３１を図１の遊技盤１に取り付けるための木ねじのような止ねじを挿入するための貫通孔４４を備える。各々の開閉体９−１４は外周壁と前壁とを有し、全部の開閉体９−１４が図２のように閉じた場合に、開閉体９−１４それぞれの外周壁が１つの環状を形成するように連接して中央開口部１５を囲むことで遊技領域３から球を中央開口部１５に入賞しないように拒む。
【００１５】
図３を参照し、可変入賞部品８の各々の開閉体９−１４を開閉する開閉駆動機構５１；５２；５３；５４；５５について説明する。上部左右の開閉体９；１０に対応する開閉駆動機構５１；５２は左右対称の形態である。開閉駆動機構５１は電磁ソレノイド１６のプランジャ６１がコイルスプリングのようなばね６２のばね力を突出方向に受けており、プランジャ６１と支持軸（支点）６３を回転中心として回転するレバー６６の一端部とがリンクプレート６５で連結され、レバー６６の他端部に設けられたローラ６７が支持軸６３を中心とする円周上に位置するように基部３１に形成されたガイド孔３２を貫通して開閉体９に連結され、開閉体９に設けられたローラ６８が上記ガイド孔３２と交差する格好で基部３１に形成されたガイド孔３３に挿入された形態である。
【００１６】
開閉駆動機構５２は電磁ソレノイド１７のプランジャ７１がコイルスプリングのようなばね７２のばね力を突出方向に受けており、プランジャ７１と支持軸（支点）７３を回転中心として回転するレバー７６の一端部とがリンクプレート７５で連結され、レバー７６の他端部に設けられたローラ７７が支持軸７３を中心とする円周上に位置するように基部３１に形成されたガイド孔３４を貫通して開閉体１０に連結され、開閉体１０に設けられたローラ７８が上記ガイド孔３４と交差する格好で基部３１に形成されたガイド孔３５に挿入された形態である。
【００１７】
中央左右の開閉体１１；１２に対応する開閉駆動機構５３；５４は左右対称の形態である。開閉駆動機構５３は電磁ソレノイド１８のプランジャ８１がコイルスプリングのようなばね８２のばね力を突出方向に受けており、プランジャ８１と支持軸（支点）８３を回転中心として回転するレバー８８の一端部とがリンクプレート８５で連結され、開閉体１１に上下２段に設けられたローラ８６；８７がレバー８８の他端部に形成された長孔８９と基部３１の上下２段のガイド孔３６；３７とに挿入された形態である。
【００１８】
開閉駆動機構５４は電磁ソレノイド１９のプランジャ９１がコイルスプリングのようなばね９２のばね力を突出方向に受けており、プランジャ９１と支持軸（支点）９３を回転中心として回転するレバー９８の一端部とがリンクプレート９５で連結され、開閉体１２に上下２段に設けられたローラ９６；９７がレバー９８の他端部に形成された長孔９９と基部３１の上下２段のガイド孔３８；３９とに挿入された形態である。
【００１９】
下部左右の開閉体１３；１４に対応する開閉駆動機構５５は図６にも示すように電磁ソレノイド２０のプランジャ１０１とコイルスプリングのようなばね１０２のばね力と四節リンク１０３；１０４とで平行運動して左右に開閉する形態である。つまり、左側の開閉体１３では四節リンク１０３における基部３１または図１の遊技盤１に取り付けられた２つの支持軸（支点）１０６；１０７を回転中心として回転する２本のリンクプレート１０８；１０９と四節リンク１０３における左側の開閉体１３に設けられた２個の可動軸１１０；１１１とが基部３１の２つのガイド孔４０；４１を経由して個別に連結される。右側の開閉体１４では四節リンク１０４における基部３１または図１の遊技盤１に取り付けられた２つの支持軸（支点）１１２；１１３を回転中心として回転する２本のリンクプレート１１４；１１５と四節リンク１０４における右側の開閉体１４に設けられた２個の可動軸１１６；１１７とが基部３１の２つのガイド孔４２；４３を経由して個別に連結された形態である。電磁ソレノイド１６；１７；１８；１９および支持軸６３；７３；８３；９３は基部３１または図１の遊技盤１に取り付けられる。
【００２０】
図４を参照し、上部左右の開閉体９；１０の動きについて上部左の開閉体９を例として説明する。開閉体９が実線で示すように閉じた状態において、電磁ソレノイド１６が電力の供給でプランジャ６１を吸引すると、レバー６６が支持軸６３を回転中心として矢印Ｘ１方向に回転するのに伴い、開閉体９がローラ６８を回転中心として実線で示す格好から仮想線で示す格好に開く。その状態において、上記電磁ソレノイド１６への電力供給が遮断されると、プランジャ６１がばね６２のばね力で突出し、レバー６６が支持軸６３を回転中心として矢印Ｘ１方向と逆方向に回転するのに伴い、開閉体９がローラ６８を回転中心として仮想線で示す格好から実線で示す格好に閉じる。
【００２１】
図５を参照し、中央左右の開閉体１１；１２の動きについて中央右の開閉体１２を例として説明する。開閉体１２が実線で示すように閉じた状態において、電磁ソレノイド１９が電力の供給でプランジャ９１を吸引すると、レバー９８が支持軸９３を回転中心として矢印Ｘ２方向に回転するのに伴い、上下２段のローラ９６；９７が基部３１のガイド孔３８；３９で右方向に直線的に案内されて、開閉体１２が実線で示す格好から仮想線で示す格好に開く。その状態において、上記電磁ソレノイド１９への電力供給が遮断されると、プランジャ９１がばね９２のばね力で突出し、レバー９８が支持軸９３を回転中心として矢印Ｘ２方向と逆方向に回転するのに伴い、上下２段のローラ９６；９７が基部３１のガイド孔３８；３９で左方向に直線的に案内されて、開閉体１２が仮想線で示す格好から実線で示す格好に閉じる。
【００２２】
図６を参照し、下部左右の開閉体１３；１４の動きについて説明する。開閉体１３；１４が実線で示すように閉じた状態において、電磁ソレノイド２０が電力の供給でプランジャ１０１を吸引すると、左右の開閉体１３；１４に設けられた横長孔１１８；１１９に挿入されたローラ１２０；１２１が矢印Ｘ３方向に下降することで左右の開閉体１３；１４が２つの支持軸１０６；１０７を回転中心として回転する四節リンク１０３と２つの支持軸１１２；１１３を回転中心として回転する四節リンク１０４との動きによって実線で示す格好から仮想線で示す格好に開く。その状態において、上記電磁ソレノイド２０への電力供給が遮断されると、プランジャ１０１がばね１０２のばね力で突出し、ローラ１２０；１２１が矢印Ｘ３方向と逆方向に上昇することで左右の開閉体１３；１４が２つの四節リンク１０３；１０４の動きによって仮想線で示す格好からで実線で示す格好に閉じる。
【００２３】
図７を参照し、可変入賞部品８における開閉体９−１４の開閉パターンについて説明する。図７のａ図に示す開閉パターンは全部の開閉体９−１４が閉じた形態である。図７のｂ図に示す開閉パターンは上部左の開閉体９だけが開いた形態である。図７のｃ図に示す開閉パターンは上部右の開閉体１０だけが開いた形態である。図７のｄ図に示す開閉パターンは中央右の開閉体１２だけが開いた形態である。図７のｅ図に示す開閉パターンは中央左の開閉体１１だけが開いた形態である。図７のｆ図に示す開閉パターンは下部左右の開閉体１３；１４だけが開いた形態である。図７のｇ図に示す開閉パターンは全部の開閉体９−１４が開いた形態である。開閉パターンは上記ａ図からｇ図だけでなく、上部左右の開閉体９；１０の双方が開いたり、中央左右の開閉体１１；１２の双方が開いたり、上部左の開閉体９と中央左の開閉体１１との双方が開いたり、上部右の開閉体１０と中央右の開閉体１２との双方が開いたり、上部左の開閉体９と中央右の開閉体１２との双方が開いたり、上部右の開閉体１０と中央右の開閉体１１との双方が開いたり、それ以外の上部と中央と下部との組み合わせで開いたりなどの種々の形態がある。
【００２４】
要するに、本実施形態によれば、始動入賞に伴う制御装置６における抽選結果として当たりが抽選されると、予告手段２３が電磁ソレノイド１６−２０を予告動作し、電磁ソレノイド１６−２０が可変入賞部品８の開閉体９−１４を１個の球を取り込むことが不可能な開度で振動するように動かすことで、図柄表示器７による図柄変動の開始から図柄変動の停止までの間に遊技者に当たりの抽選されていることを報知するので、始動入賞に伴い可変入賞部品８が開閉する大当たりの発生する期待感を遊技者に直接的に訴えることができる。
【００２５】
可変入賞部品８は左右に開閉する一対の羽根を有する電動チューリップや前後方向に開閉する開閉体を有するアタッカとよばれるような大入賞口でもよい。予告のために振動させる可変入賞部品としては予告の結果として開放する可能性の有る可変入賞部品８に限定されるものでなく、始動入賞に伴う大当たりを実行する以外の入賞口の球を取り込む開閉体を開閉し得る構造の可変入賞部品であっても同様に適用することができる。
【図面の簡単な説明】
【図１】一実施形態の予告装置を示す模式図。
【図２】同実施形態の可変入賞部品を示す斜視図。
【図３】同実施形態の可変入賞部品内部構造を示す模式図。
【図４】同実施形態の１つの開閉駆動機構を示す模式図。
【図５】同実施形態のもう１つの開閉駆動機構を示す模式図。
【図６】同実施形態のさらに別の１つの開閉駆動機構を示す模式図。
【図７】同実施形態の可変入賞部品の開閉パターンを示す模式図。
【符号の説明】
１　遊技盤、３　遊技領域、８　可変入賞部品、９−１４　開閉体、
１６−２０　電磁ソレノイド（開閉駆動源）、２３　予告手段、
１３１−１３３　モータ（駆動源）。
【図１】
2004129784.tif 000003
【図２】
2004129784.tif 000004
【図３】
2004129784.tif 000005
【図４】
2004129784.tif 000006
【図５】
2004129784.tif 000007
【図６】
2004129784.tif 000008
【図７】
2004129784.tif 000009